(57)【要約】【課題】デッドスペース（ｄｅａｄ  ｓｐａｃｅ）を除去し、バッテリー空間を確保して空間活用を極大化する携帯用端末を提供する。【解決手段】本発明の携帯用端末は、ケース１１０と、ケース１１０の一側に配置される第１基板１２０と、第１基板１２０と離隔してバッテリー設置空間１１５を形成する第２基板１３０と、第１基板１２０と第２基板１３０を電気的に連結し、ケース１１０の側面と並行に配置された連結基板１４０と、を含むものである。【選択図】図１
2014003613.tif 000002
【特許請求の範囲】
【請求項１】
ケースと、
ケースの一側に配置される第１基板と、
前記第１基板と離隔してバッテリー設置空間を形成する第２基板と、
前記第１基板と第２基板を電気的に連結し、前記ケースの側面と並行に配置された連結基板と、を含む携帯用端末。
【請求項２】
前記第１基板と連結基板の一側を電気的に連結する第１フレキシブル基板と、
前記第２基板と連結基板の他側を電気的に連結する第２フレキシブル基板と、をさらに含む請求項１に記載の携帯用端末。
【請求項３】
前記連結基板は、第１基板及び第２基板と垂直に配置される請求項１に記載の携帯用端末。
【請求項４】
前記第１基板と第２基板は、リジッド基板である請求項１に記載の携帯用端末。
【請求項５】
前記連結基板は、リジッド基板である請求項１に記載の携帯用端末。
【請求項６】
所定長さと幅の水平面と所定高さの垂直面からなるケースと、
前記ケースの水平面内に水平に形成された第１リジッド基板部と、前記ケースの垂直面内に前記水平面とほぼ垂直に形成された第２リジッド基板部と、前記第１リジッド基板部と前記第２リジッド基板部を折り曲げ可能に電気的に連結するために一体に形成されたフレキシブル基板部と、からなるフレキシブル−リジッド基板と、
前記フレキシブル−リジッド基板に電気的に接続して電源を供給するバッテリーと、を含む携帯用端末。
【請求項７】
前記フレキシブル基板部は、
前記ケースの水平面における第１面積及び前記ケースの垂直面における第２面積を有しており、前記第１面積の一部及び前記第２面積の一部に一体に連結される第３面積が折り曲げ可能に形成され、
前記第１リジッド基板部は、デジタル処理部を担当するための第１回路パターンがパターニングされたり第１回路素子が実装される第１リジッド領域を前記フレキシブル基板部の第１面積に形成し、
前記第２リジッド基板部は、ＲＦ処理部を担当するための第２回路パターンがパターニングされたり第２回路素子が実装される第２リジッド領域を前記フレキシブル基板部の第２面積に形成する請求項６に記載の携帯用端末。
【請求項８】
前記バッテリーは、前記フレキシブル−リジッド基板の水平面と同一面に配置され、前記水平面と垂直に形成された前記第２リジッド基板部によって前記水平面内に確保された空間だけ拡張した大きさを有する請求項６に記載の携帯用端末。
【請求項９】
前記フレキシブル基板部は、
前記第１面積、第２面積及び第３面積からなるポリイミド層と、
前記ポリイミド層の両面に形成された第１導電層と、
前記第１導電層の上面に形成されたカバーレイ層と、を含む請求項７に記載の携帯用端末。
【請求項１０】
前記第１導電層に、前記第１リジッド基板部と前記第２リジッド基板部を電気的に連結する配線パターンがパターニングされる請求項９に記載の携帯用端末。
【請求項１１】
前記第１リジッド基板部は、
前記フレキシブル基板部の前記第１リジッド領域の両面に形成されたプリプレグと、
前記プリプレグの上面に形成された第２導電層と、
前記第２導電層の上面に形成された感光性ソルダレジスト（ＰＳＲ）インク（Ｉｎｋ）と、を含む請求項７に記載の携帯用端末。
【請求項１２】
前記第２導電層には、前記第１回路パターンが露光及びエッチングによりパターニングされたり前記第１回路素子が実装される請求項１１に記載の携帯用端末。
【請求項１３】
前記第２リジッド基板部は、
前記フレキシブル基板部の前記第２リジッド領域の両面に形成されたプリプレグと、
前記プリプレグの上面に形成された第３導電層と、
前記第３導電層の上面に形成された感光性ソルダレジスト（ＰＳＲ）インク（Ｉｎｋ）と、を含む請求項７に記載の携帯用端末。
【請求項１４】
前記第３導電層には、前記第２回路パターンが露光及びエッチングによりパターニングされたり前記第２回路素子が実装される請求項１３に記載の携帯用端末。
【発明の詳細な説明】
【技術分野】
【０００１】
本発明は、携帯用端末に関する。
【背景技術】
【０００２】
通常、スマートフォンのような携帯用端末には、ゲームや動画など様々なコンテンツを提供することができる。ゲームや動画などのコンテンツを利用するためには、バッテリー容量を増加する必要がある。
【０００３】
また、最近、携帯用端末の傾向（ｔｒｅｎｄ）は、コンピュータの機能を組み合わせた処理速度の持続的な増加及びディスプレイサイズの大型化に伴い、バッテリー消費量の増加及びセット（ｓｅｔ）のスリム化がイシュー（ｉｓｓｕｅ）となっている。これにより、バッテリー容量拡大及びバッテリー空間確保が、全てのセット製造者の主な課題となっている。
【０００４】
このような携帯用端末のバッテリー容量は、バッテリーの大きさに比例することができる。携帯用端末の構造は、バッテリー設置空間を確保するため、多様に変更することができる。
【０００５】
従来の携帯用端末の基板構造を見ると、デジタル部を担当するメイン基板と、ＲＦ部を担当するサブ基板が、ケースの水平面に配置され、このような基板と同一面にバッテリーがともに配置されており、デッドスペース（ｄｅａｄ  ｓｐａｃｅ）が発生するだけでなく、バッテリー容量及び部品配置の構造面において限界があった。
【０００６】
特許文献１は、移動通信端末に関するものであり、移動通信端末に装着されたバッテリーパックの構造が開示されており、特許文献２には、移動端末が開示されている。
【先行技術文献】
【特許文献】
【０００７】
【特許文献１】韓国登録特許第１０−０６４２４４７号公報
【特許文献２】韓国公開特許第２０１２−０００９８３３号公報
【発明の概要】
【発明が解決しようとする課題】
【０００８】
本発明は、上述した従来技術の問題点を解決するためのものであり、本発明は、水平−垂直基板構造を利用して基板構造を変更することにより、デッドスペース（ｄｅａｄ  ｓｐａｃｅ）を除去し、バッテリー空間を確保して空間活用を極大化する携帯用端末を提供することを目的とする。
【課題を解決するための手段】
【０００９】
本発明の一実施例による携帯用端末は、ケースと、ケースの一側に配置される第１基板と、前記第１基板と離隔してバッテリー設置空間を形成する第２基板と、前記第１基板と第２基板を電気的に連結し、前記ケースの側面と並行に配置された連結基板と、を含んで構成される。
【００１０】
また、前記第１基板と連結基板の一側を電気的に連結する第１フレキシブル基板と、前記第２基板と連結基板の他側を電気的に連結する第２フレキシブル基板と、をさらに含むことができる。
【００１１】
また、前記連結基板は、第１基板及び第２基板と垂直に配置されることができる。
【００１２】
また、前記第１基板と第２基板は、リジッド基板であることができる。
【００１３】
また、前記連結基板は、リジッド基板であることができる。
【００１４】
一方、本発明の他の実施例による携帯用端末は、所定長さと幅の水平面と所定高さの垂直面からなるケースと、前記ケースの水平面内に水平に形成された第１リジッド基板部と、前記ケースの垂直面内に前記水平面とほぼ垂直に形成された第２リジッド基板部と、前記第１リジッド基板部と前記第２リジッド基板部を折り曲げ可能に電気的に連結するために一体に形成されたフレキシブル基板部と、からなるフレキシブル−リジッド基板と、前記フレキシブル−リジッド基板に電気的に接続して電源を供給するバッテリーと、を含んで構成される。
【００１５】
また、前記フレキシブル基板部は、前記ケースの水平面における第１面積及び前記ケースの垂直面における第２面積を有しており、前記第１面積の一部及び前記第２面積の一部に一体に連結される第３面積が折り曲げ可能に形成され、前記第１リジッド基板部は、デジタル処理部を担当するための第１回路パターンがパターニングされたり第１回路素子が実装される第１リジッド領域を前記フレキシブル基板部の第１面積に形成し、前記第２リジッド基板部は、ＲＦ処理部を担当するための第２回路パターンがパターニングされたり第２回路素子が実装される第２リジッド領域を前記フレキシブル基板部の第２面積に形成する。
【００１６】
また、前記バッテリーは、前記フレキシブル−リジッド基板の水平面と同一面に配置され、前記水平面と垂直に形成された前記第２リジッド基板部によって前記水平面内に確保された空間だけ拡張した大きさを有することを特徴とする。
【００１７】
また、前記フレキシブル基板部は、前記第１面積、第２面積及び第３面積からなるポリイミド層と、前記ポリイミド層の両面に形成された第１導電層と、前記第１導電層の上面に形成されたカバーレイ層と、を含んで構成される。ここで、前記第１導電層に、前記第１リジッド基板部と前記第２リジッド基板部を電気的に連結する配線パターンがパターニングされることができる。
【００１８】
また、前記第１リジッド基板部は、前記フレキシブル基板部の前記第１リジッド領域の両面に形成されたプリプレグと、前記プリプレグの上面に形成された第２導電層と、前記第２導電層の上面に形成された感光性ソルダレジスト（ＰＳＲ）インク（Ｉｎｋ）と、を含んで構成される。ここで、前記第２導電層には、前記第１回路パターンが露光及びエッチングによりパターニングされたり前記第１回路素子が実装されることができる。
【００１９】
また、前記第２リジッド基板部は、前記フレキシブル基板部の前記第２リジッド領域の両面に形成されたプリプレグと、前記プリプレグの上面に形成された第３導電層と、前記第３導電層の上面に形成された感光性ソルダレジスト（ＰＳＲ）インク（Ｉｎｋ）と、を含んで構成される。ここで、前記第３導電層には、前記第２回路パターンが露光及びエッチングによりパターニングされたり前記第２回路素子が実装されることができる。
【発明の効果】
【００２０】
本発明によると、水平−垂直基板構造のフレキシブル−リジッド基板を利用して基板構造を変更することにより、デッドスペース（ｄｅａｄ  ｓｐａｃｅ）を除去し、バッテリー空間を確保して空間活用を極大化することができる。
【００２１】
また、本発明によると、前記水平−垂直基板構造のフレキシブル−リジッド基板を一体に形成することにより、ＥＭＩ／ＥＳＤを防止することができる。
【図面の簡単な説明】
【００２２】
【図１】本発明の第１実施例による携帯用端末を図示した図面である。
【図２】図１の第１基板、第２基板及び連結基板を図示した図面である。
【図３Ａ】本発明の第２実施例による携帯用端末の斜視図である。
【図３Ｂ】図３Ａのフレキシブル−リジッド基板を広げた平面図である。
【図３Ｃ】図３Ｂに示されたＡ−Ａ´線に沿って切断した基板の断面図である。
【図４Ａ】本発明の第３実施例による携帯用端末の斜視図である。
【図４Ｂ】図４Ａのフレキシブル−リジッド基板を広げた平面図である。
【図４Ｃ】図４Ｂに示されたＢ−Ｂ´線に沿って切断した基板の断面図である。
【発明を実施するための形態】
【００２３】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２４】
以下、添付図面を参照して、本発明の好ましい実施例を詳細に説明する。
【００２５】
図１は、本発明の第１実施例による携帯用端末を図示した図面であり、図２は、図１の第１基板、第２基板及び連結基板を図示した図面である。
【００２６】
図１及び図２を参照すると、本発明の第１実施例による携帯用端末は、ケース１１０と、第１基板１２０と、第２基板１３０と、連結基板１４０と、を含むものである。
【００２７】
ケース１１０は、第１基板１２０と、第２基板１３０と、連結基板１４０と、バッテリー１０などを収容することができる。ケース１１０は、長方形態など様々な形態に形成されることができる。ケース１１０の一側面又は両側面には、入力部と、接続部と、入出力ポートなどを多数配置することができる。
【００２８】
第１基板１２０は、ケース１１０の一側に配置することができる。このような第１基板１２０は、リジッド基板（ｒｉｇｉｄ  ｓｕｂｓｔｒａｔｅ）であることが好ましい。
【００２９】
第２基板１３０は、第１基板１２０と離隔して配置されてバッテリー設置空間１１５を形成することができる。この際、第１基板１２０と第２基板１３０との間にバッテリー設置空間１１５を形成することができる。第２基板１３０には、カメラモジュール、電源供給部などを電気的に連結することができる。このような第２基板１３０は、リジッド基板（ｒｉｇｉｄ  ｓｕｂｓｔｒａｔｅ）であることが好ましい。
【００３０】
携帯用端末を制御するメイン基板は、第１基板１２０と第２基板１３０とに分けられる。勿論、第１基板１２０と第２基板１３０のいずれか一つがメイン基板であり、残りの一つがサブ基板であってもよい。メイン基板は、携帯用端末を制御し、サブ基板には、カメラモジュール、電源供給部などの部品を連結することができる。
【００３１】
連結基板１４０は、第１基板１２０と第２基板１３０を電気的に連結することができる。連結基板１４０には、第１基板１２０と第２基板１３０の配線と連結されるための配線を形成することができる。このような連結基板１４０は、フレキシブル基板（ｆｌｅｘｉｂｌｅ  ｓｕｂｓｔｒａｔｅ）又はリジッド基板（ｒｉｇｉｄ  ｓｕｂｓｔｒａｔｅ）であることが好ましい。
【００３２】
連結基板１４０は、ケース１１０の側面と並行に配置することができる。連結基板１４０をケース１１０の側面と並行に配置することにより、携帯用端末の内部構造を変更しなくても、バッテリー設置空間１１５をほぼ連結基板１４０の幅だけ拡大することができる。すなわち、連結基板を、ケース１１０の側面に接触するかほぼ接触する位置に配置することで、バッテリー設置空間１１５を相対的に増大することができる。
【００３３】
また、連結基板１４０は、第１基板１２０及び第２基板１３０と垂直に配置することができる。この際、第１基板１２０と第２基板１３０は、ケース１１０の一面と平行に配置し、連結基板１４０は、ケース１１０の一面と垂直し、ケース１１０の側面と平行に配置することができる。連結基板１４０をケース１１０の側面に起立した状態で配置するため、ケース１１０における連結基板１４０の設置空間を著しく減少することができる。これにより、バッテリー設置空間１１５をほぼ連結基板１４０の幅だけ拡大することができる。すなわち、ケース１１０の側面空間をバッテリー設置空間１１５として活用することができる。
【００３４】
連結基板１４０には、接続端子１４５や部品などを実装することができる。接続端子１４５や部品などは、連結基板１４０の配線と電気的に連結することができる。
【００３５】
携帯用端末は、第１フレキシブル基板１５１と第２フレキシブル基板１５２をさらに含むことができる。
【００３６】
第１フレキシブル基板１５１は、第１基板１２０と連結基板１４０の一側を電気的に連結することができる。第１フレキシブル基板１５１には、第１基板１２０の配線と連結基板１４０の配線を電気的に連結するための配線を形成することができる。
【００３７】
第２フレキシブル基板１５２は、第２基板１３０と連結基板１４０の他側を電気的に連結することができる。第２フレキシブル基板１５２には、第２基板１３０の配線と連結基板１４０の配線を電気的に連結するために、配線を形成することができる。
【００３８】
第１フレキシブル基板１５１と第２フレキシブル基板１５２がフレキシブルに折り曲げられることで、連結基板１４０を、第１基板１２０と第２基板１３０に垂直に配置することができる。また、第１フレキシブル基板１５１と第２フレキシブル基板１５２がフレキシブルに折り曲げられることで、第１基板１２０と、第２基板１３０と、連結基板１４０をケース１１０に容易に設置することができる。また、フレキシブルな第１フレキシブル基板１５１と第２フレキシブル基板１５２が第１基板１２０及び第２基板１３０と、連結基板１４０とを連結することで、携帯用端末に衝撃が加わっても、第１基板１２０及び第２基板１３０と、連結基板１４０との連結部分が損傷を受けることを防止することができる。
【００３９】
前記のように、連結基板１４０をケース１１０の側面に配置することで、バッテリーの設置空間１１５をケース１１０の幅方向に拡張することができる。これにより、携帯用端末に相対的に大きいバッテリー１０を設置することができる。また、携帯用端末の内部構造をほとんど変形することなく、バッテリーの設置空間を増加することができる。
【００４０】
図３Ａは、本発明の第２実施例による携帯用端末の斜視図であり、図３Ｂは、図３Ａのフレキシブル−リジッド基板を広げた平面図であり、図３Ｃは、図３Ｂに示されたＡ−Ａ´線に沿って切断した基板の断面図である。
【００４１】
図３Ａから図３Ｃを参照すると、本発明の第２実施例による携帯用端末は、所定長さＬ、所定幅Ｗ、及び所定高さＨを有するケース１と、前記ケース１の水平面及び垂直面の一部に配置されたフレキシブル−リジッド基板２１０と、前記フレキシブル−リジッド基板２１０に電気的に接続して電源を供給するバッテリー２２０と、を含んで構成される。
【００４２】
前記ケース１は、所定長さＬと幅Ｗの水平面１ａと、所定高さＨの垂直面１ｂ又は１ｃと、からなる。前記ケース１の内部の水平面１ａ及び垂直面１ｂ又は１ｃに、前記フレキシブル−リジッド基板２１０が配置される。
【００４３】
前記フレキシブル−リジッド基板２１０は、前記ケース１の水平面１ａ内に水平に形成された第１リジッド基板部２１０−３と、前記ケース１の垂直面（例えば、１ｂ）内に前記水平面１ａとほぼ垂直に形成された第２リジッド基板部２１０−５と、前記第１リジッド基板部２１０−３と前記第２リジッド基板部２１０−５が折り曲げ可能に電気的に連結されるように一体に形成されたフレキシブル基板部２１０−１と、からなる。
【００４４】
前記フレキシブル基板部２１０−１は、前記ケース１の水平面１ａにおける第１面積、及び前記ケース１の垂直面１ｂ又は１ｃにおける第２面積を有しており、前記第１面積の一部及び前記第２面積の一部に一体に連結される第３面積が折り曲げ可能に形成される。この際、前記第３面積の長さ又は幅（すなわち、第１面積と前記第２面積との間隔）ｄ１は、約３ｍｍ〜２１０ｍｍに形成することができる。
【００４５】
前記第１リジッド基板部２１０−３は、前記フレキシブル基板部２１０−１の前記第１面積に第１リジッド領域を形成して、デジタル処理部を担当するための第１回路パターンがパターニングされたり、第１回路素子が実装されるようにする。
【００４６】
また、前記第２リジッド基板部２１０−５は、前記フレキシブル基板部２１０−１の前記第２面積に第２リジッド領域を形成して、ＲＦ処理部を担当するための第２回路パターンがパターニングされたり、第２回路素子が実装されるようにする。
【００４７】
具体的に、前記フレキシブル基板部２１０−１は、図３Ｃに図示されたように、前記第１面積、第２面積及び第３面積からなるポリイミド層（Ｐｏｌｙｉｍｉｄｅ）２１１と、前記ポリイミド層２１１の両面に形成された第１導電層（Ｃｏｐｐｅｒ）２１２と、前記第１導電層２１２の上面に所定の接着剤によって形成されたカバーレイ層２１３と、からなる。
【００４８】
ここで、前記第１導電層２１２には、露光（ｅｘｐｏｓｕｒｅ）／エッチング（ｅｔｃｈｉｎｇ）により、パターン化された回路パターン、例えば、前記第１及び第２リジッド基板部２１０−３及び２１０−５を電気的に連結する配線パターンを形成することができる。
【００４９】
また、前記カバーレイ層２１３は、絶縁性によりフレキシブル基板部２１０−１の表面を保護する。
【００５０】
前記第１リジッド基板部２１０−３は、前記フレキシブル基板部２１０−１の前記第１リジッド領域の両面に形成されたプリプレグ２１４と、前記プリプレグ２１４の上面に形成された第２導電層２１５と、前記第２導電層２１５の上面に形成された感光性ソルダレジスト（ＰＳＲ；Ｐｈｏｔｏ  Ｓｏｌｄｅｒ  Ｒｅｓｉｓｔ）インク（Ｉｎｋ）２１７と、からなる。
【００５１】
ここで、前記プリプレグ２１４は、前記第１リジッド基板部２１０−３をリジッドに形成するためのものであり、前記フレキシブル基板部２１０−１（具体的に、前記カバーレイ層２１３）の第１面積の両面に形成される。
【００５２】
また、前記第２導電層２１５には、前記第１導電層２１２と同様に、露光（ｅｘｐｏｓｕｒｅ）／エッチング（Ｅｔｃｈｉｎｇ）によりパターン化された回路パターン（例えば、前記デジタル処理部を担当するための第１回路パターン）がパターニングされたり、前記第１回路素子が実装される。
【００５３】
また、前記第１リジッド基板部２１０−３には、前記フレキシブル基板部２１０−１と連結したり、表面実装されたハードウェア又は前記第１回路素子を連結するための貫通孔（不図示）を形成することもできる。
【００５４】
同様に、前記第２リジッド基板部２１０−５は、前記フレキシブル基板部２１０−１の前記第２リジッド領域の両面に形成されたプリプレグ２１４と、前記プリプレグ２１４の上面に形成された第３導電層２１６と、前記第３導電層２１６の上面に形成された感光性ソルダレジスト（ＰＳＲ；Ｐｈｏｔｏ  Ｓｏｌｄｅｒ  Ｒｅｓｉｓｔ）インク（Ｉｎｋ）２１７と、からなる。
【００５５】
ここで、前記プリプレグ２１４は、前記第２リジッド基板部２１０−５をリジッドに形成するためのものであり、前記フレキシブル基板部２１０−１（具体的に、前記カバーレイ層２１３）の前記第２面積の両面に形成される。
【００５６】
また、前記第３導電層２１６には、前記第２導電層２１５と同様に、露光（ｅｘｐｏｓｕｒｅ）／エッチング（Ｅｔｃｈｉｎｇ）によりパターン化された回路パターン（例えば、前記ＲＦ処理部を担当するための第２回路パターン）がパターニングされたり、前記第２回路素子が実装される。
【００５７】
また、前記第２リジッド基板部２１０−５には、前記フレキシブル基板部２１０−１と連結したり、表面実装されたハードウェア又は前記第２回路素子を連結するための貫通孔（不図示）を形成することもできる。
【００５８】
これにより、前記第１リジッド基板部２１０−３及び前記第２リジッド基板部２１０−５は、前記フレキシブル基板部２１０−１によって電気的に連結される。
【００５９】
このように、前記フレキシブル−リジッド基板２１０において前記第１及び第２面積に該当する部分は、リジッドであり、前記第３面積に該当する部分のみがフレキシブルであり、前記第１及び第２リジッド基板部２１０−３及び２１０−５が接する部分が、折り曲げ可能であり、前記ケース１の水平面１ａと垂直面１ｂ又は１ｃにともに配置することができる。
【００６０】
一方、前記バッテリー２２０は、前記フレキシブル−リジッド基板２１０に電気的に接続して電源を供給するものであり、前記フレキシブル−リジッド基板２１０の水平面と同一面に配置され、前記水平面に垂直に形成された前記第２リジッド基板部２１０−５によって、前記第２リジッド基板部２１０−５の大きさに対応して、前記ケース１の水平面内に確保された空間だけ拡張した大きさの拡張部（矢印Ｅ、Ｅ´）を有することができる。
【００６１】
すなわち、上述したような水平−垂直基板構造の前記フレキシブル−リジッド基板２１０により、前記第２リジッド基板部２１０−５を前記第１リジッド基板部２１０−３と水平ではなく垂直の構造になるようにすることで、前記第２リジッド基板部２１０−５が占める水平面積だけ前記バッテリー２２０の面積を拡大することができる。これにより、前記バッテリー２２０の面積が増加しただけ、その容量もまた増加する。
【００６２】
具体的に、図３Ａ及び図３Ｂに図示されたように、本発明の第２実施例による携帯用端末は、前記フレキシブル−リジッド基板２１０において前記第１面積の上側の一部と前記第２面積の下側の一部（又は、図示していないが前記第１面積の下側の一部と前記第２面積の上側の一部）が前記第３面積と一体に連結される場合、前記第１リジッド基板部２１０−３は、前記ケース１の長さＬに対応する長さＬ１と所定の幅Ｗ１を有することができる。
【００６３】
この際、前記バッテリー２２０の幅Ｗ２は、前記ケース１の幅Ｗと前記第１リジッド基板部２１０−３によって固定されるが、前記バッテリーの長さＬ２は、前記水平面１ａに垂直に形成された前記第２リジッド基板部２１０−５によって、前記第２リジッド基板部２１０−５の大きさに対応して前記ケース１の水平面１ａ内に確保された空間だけ拡張した大きさ、すなわち拡張した長さである拡張部（矢印Ｅ）を有することができる。
【００６４】
例えば、前記バッテリー２２０の長さＬ２が幅Ｗ２に対して４：３の割合で長い長方形の場合、前記バッテリー２２０の長さＬ２が約０．１％〜０．５％拡張されることで、前記バッテリー２２０の容量を約８％〜２１２％程度増加させることができる。
【００６５】
図４Ａは、本発明の第３実施例による携帯用端末の斜視図であり、図４Ｂは、図４Ａのフレキシブル−リジッド基板を広げた平面図であり、図４Ｃは、図４Ｂに示されたＢ−Ｂ´線に沿って切断した基板の断面図である。
【００６６】
ここで、図４Ａから図４Ｃによる本発明の第３実施例による携帯用端末は、図３Ａから図３Ｃによる本発明の第２実施例において水平面と垂直面が連結されて折り曲げされる位置以外は同一であるため、同一の構成要素に対する詳細説明は上述したもので代替する。
【００６７】
図４Ａから図４Ｃを参照すると、本発明の第２実施例と同様に、前記フレキシブル−リジッド基板２１０において、前記第１及び第２面積に該当する部分は、リジッドであり、前記第３面積に該当する部分のみがフレキシブルであり、前記第１及び第２リジッド基板部２１０−３及び２１０−５が接する部分が折り曲げ可能であり、前記ケース１の水平面１ａと垂直面１ｂ又は１ｃにともに配置することができる。
【００６８】
具体的に、図４Ａ及び図４Ｂに図示されたように、本発明の第３実施例による携帯用端末は、前記フレキシブル−リジッド基板２１０において前記第１面積の左側の一部と前記第２面積の右側の一部（又は、図示していないが、前記第１面積の右側の一部と前記第２面積の左側の一部）が前記第３面積と一体に連結される場合、前記第１リジッド基板部２１０−３は、前記ケース１の幅Ｗに対応する幅に固定される幅Ｗ１と所定の長さＬ１を有することができる。
【００６９】
この際、前記バッテリー２２０の長さＬ２は、前記ケース１の長さＬと前記第１リジッド基板部２１０−３によって固定されるが、前記バッテリー２２０の幅Ｗ２は、前記水平面１ａに垂直に形成された前記第２リジッド基板部２１０−５により、前記第２リジッド基板部２１０−５の大きさに対応して前記ケース１の水平面１ａ内に確保された空間だけ拡張した大きさ、すなわち拡張した幅である拡張部（矢印Ｅ´）を有することができる。
【００７０】
例えば、前記バッテリー２２０の長さＬ２が幅Ｗ２に対して４：３の割合で長い長方形の場合、前記バッテリー２２０の幅Ｗ２を約０．１％〜０．５％拡張することにより、前記バッテリー２２０の容量を約２１０％〜２１５％程度増加することができる。
【００７１】
このように約２１０％〜２１５％が増加したバッテリー２２０の容量を時間に換算すると、ユーザが前記携帯用端末を使用することなく電源を入れておいた状態である待機モードの場合には、約３０時間さらに持続することができ、ユーザが、インターネット検索、通話、様々なアプリケーションの実行など、前記携帯用端末を使用するスマートモードの場合には、約２〜３時間程度さらに持続することが可能である。
【００７２】
上述したように、本発明の第１〜第３実施例による携帯用端末は、基板構造を水平−垂直基板構造に変更することにより、デッドスペース（ｄｅａｄ  ｓｐａｃｅ）を除去し、バッテリー空間を確保して空間活用を極大化することが可能である。
【００７３】
また、前記水平−垂直構造の基板を一体に形成することができ、水平基板と垂直基板とのインピーダンスマッチングにより電気的に連結されることで、ＥＭＩ／ＥＳＤを防止する効果がある。
【００７４】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７５】
本発明の単純な変形乃至変更はいずれも本発明の領域に属するものであり、本発明の具体的な保護範囲は添付の特許請求の範囲により明確になるであろう。
【産業上の利用可能性】
【００７６】
本発明は、携帯用端末に適用可能である。
【符号の説明】
【００７７】
１  ケース
１ａ  水平面
１ｂ、１ｃ  垂直面
１０  バッテリー
１１０  ケース
１１５  バッテリー設置空間
１２０  第１基板
１３０  第２基板
１４０  連結基板
１４５  接続端子
１５１  第１フレキシブル基板
１５２  第２フレキシブル基板
２１０  フレキシブル−リジッド基板
２１０−１  フレキシブル基板部
２１０−３  第１リジッド基板部
２１０−５  第２リジッド基板部
２１１  ポリイミド層
２１２  第１導電層
２１３  カバーレイ層
２１４  プリプレグ
２１５  第２導電層
２１６  第３導電層
２１７  ソルダレジストインク
２２０  バッテリー
【図１】
2014003613.tif 000003
【図２】
2014003613.tif 000004
【図３Ａ】
2014003613.tif 000005
【図３Ｂ】
2014003613.tif 000006
【図３Ｃ】
2014003613.tif 000007
【図４Ａ】
2014003613.tif 000008
【図４Ｂ】
2014003613.tif 000009
【図４Ｃ】
2014003613.tif 000010